(57)【要約】  端末装置（３）と無線通信する通信装置（２１）と、前記端末装置と前記通信装置との間の無線通信を制御する無線通信制御装置（２２）とを備えた基地局装置（４）と、前記端末装置とを有する無線通信システムにおける前記通信装置である。通信装置は、受信部（４２）と、測定部（５７）と、送信部（４２）とを有する。受信部は、当該通信装置と前記端末装置との通信を制御する前記無線通信制御装置から測定要求を受信する。測定部５７は、前記端末装置との上り無線回線品質を測定する。送信部は、前記測定結果を前記無線通信制御装置に送信する。受信部は、前記上り無線回線品質の測定に関する制御情報を前記無線通信制御装置又は他の通信装置から受信する。その結果、同一無線通信制御装置配下の通信装置毎の無線回線の状態を測定できる。
2020115885.tif 000002
【特許請求の範囲】
【請求項１】
端末装置と無線通信する通信装置と、前記端末装置と前記通信装置との間の無線通信を制御する無線通信制御装置とを備えた基地局装置と、前記端末装置とを有する無線通信システムにおける前記通信装置であって、
当該通信装置と前記端末装置との通信を制御する前記無線通信制御装置から測定要求を受信する受信部と、
前記端末装置との上り無線回線品質を測定する測定部と、
前記測定結果を前記無線通信制御装置に送信する送信部と
を有し、
前記受信部は、
前記上り無線回線品質の測定に関する制御情報を前記無線通信制御装置又は他の通信装置から受信する
ことを特徴とする通信装置。
【請求項２】
自通信装置が構成する第１セルの第１セル識別情報と、前記他の通信装置が構成する第２セルの第２セル識別情報が同一である
こと特徴とする請求項１に記載の通信装置。
【請求項３】
前記受信部は、
前記無線通信制御装置と接続する第１の回線を制御する第１の制御部と、
前記無線通信制御装置から前記上り無線回線品質の測定に関する制御情報を受信する第１の通信部を有することを特徴とする請求項１に記載の通信装置。
【請求項４】
前記受信部は、
前記他の通信装置と接続する第２の回線を制御する第１の制御部と、
前記他の通信装置から上り無線回線品質の測定に関する制御情報を受信する第２の通信部を有することを特徴とする請求項１に記載の通信装置。
【請求項５】
前記上り無線回線品質の測定に関する制御情報を生成する生成部を有することを特徴とする請求項１に記載の通信装置。
【請求項６】
無線通信中の前記端末装置との接続を他の通信装置に切替える切替要求を前記無線通信制御装置から受信し、前記端末装置に対して未送信のユーザデータを前記他の通信装置に転送することを特徴とする請求項１に記載の通信装置。
【請求項７】
前記上り無線回線品質の測定に関する制御情報は、
前記上り参照信号の無線リソースに関する制御情報を含むことを特徴とする請求項１に記載の通信装置。
【請求項８】
前記上り無線回線品質の測定に関する制御情報は、
前記上り参照信号の送信タイミングに関する制御情報を含むことを特徴とする請求項１に記載の通信装置。
【請求項９】
端末装置と無線通信する通信装置と、前記端末装置と前記通信装置との間の無線通信を制御する無線通信制御装置とを備えた基地局装置と、前記端末装置とを有する無線通信システムにおける前記通信装置が、
前記無線通信制御装置からの前記端末装置との上り無線回線品質の測定の要求を受信し、
前記前記上り無線回線品質の測定に関する制御情報の少なくとも一部を、前記無線通信制御装置又は他の通信装置から受信し、
前記端末装置との上り無線回線品質を測定し、
前記測定結果を前記無線通信制御装置に送信する、
ことを特徴とする通信方法。
【請求項１０】
端末装置と無線通信する通信装置と、前記端末装置と前記通信装置との間の無線通信を制御する無線通信制御装置とを備えた基地局装置と、前記端末装置とを有する無線通信システムにおける前記通信制御装置であって、
無線回線品質の測定に関する測定制御情報を他の通信装置に送信する送信部と、
前記通信装置及び前記他の通信装置から前記上り無線回線品質の測定結果を受信する受信部とを有し、
前記送信部は、
前記端末装置と無線通信する通信装置を前記通信装置から前記他の通信装置へ切替える切替要求を前記通信装置及び／又は前記他の通信装置に送信する
ことを特徴とする通信制御装置。
【請求項１１】
前記通信装置が構成する第１セルの第１セル識別情報と、前記他の通信装置が構成する第２セルの第２セル識別情報が同一である
こと特徴とする請求項１０に記載の通信制御装置。
【請求項１２】
端末装置と無線通信する通信装置と、前記端末装置と前記通信装置との間の無線通信を制御する無線通信制御装置とを備えた基地局装置と、前記端末装置とを有する無線通信システムにおける前記基地局装置であって、
前記通信装置は、
前記無線通信制御装置から上り無線回線品質の測定の要求を受信する第１の受信部と、
前記端末装置との上り無線回線品質を測定する測定部と、
測定結果を前記無線通信制御装置に送信する第１の送信部と
を有し、
前記無線通信制御装置は、
前記上り無線回線品質の測定に関する制御情報を前記通信装置から受信する第２の受信部と、
当該受信した上り無線回線品質の測定に関する制御情報を他の通信装置に送信する第２の送信部と
を有し
前記第２の受信部は、
前記通信装置及び前記他の通信装置が測定した前記端末装置との前記上り無線回線品質の測定結果を受信し、
前記第２の送信部は、
前記端末装置と無線接続する通信装置を前記通信装置から前記他の通信装置へ切替える切替要求を前記通信装置及び／又は前記他の通信装置に送信する
ことを特徴とする基地局装置。
【請求項１３】
前記通信装置が構成する第１セルの第１セル識別情報と、前記他の通信装置が構成する第２セルの第２セル識別情報が同一である
こと特徴とする請求項１２に記載の基地局装置。
【請求項１４】
端末装置と無線通信する通信装置と、前記端末装置と前記通信装置との間の無線通信を制御する無線通信制御装置とを備えた基地局装置と、前記端末装置とを有する無線通信システムにおける端末装置であって、
前記無線通信制御装置からの測定の要求に応じて無線通信中の通信装置から無線回線品質を測定する際に使用する無線リソースに関する前記通信装置から、前記通信装置及び前記通信装置とは異なる他の通信装置における上り無線回線品質測定を実施するための参照信号に関する制御情報を受信する受信部と、
前記上り無線回線品質測定に用いる参照信号を、前記通信装置及び前記他の通信装置に送信する送信部と
を有し、
前記通信装置及び／又は前記他の通信装置を介して、ユーザデータを送受信する
ことを特徴とする端末装置。
【請求項１５】
前記通信装置が構成する第１セルの第１セル識別情報と、前記他の通信装置が構成する第２セルの第２セル識別情報が同一である
こと特徴とする請求項１４に記載の端末装置。
【請求項１６】
端末装置と無線通信する通信装置と、前記端末装置と前記通信装置との間の無線通信を制御する無線通信制御装置とを備えた基地局装置と、前記端末装置とを有する無線通信システムにおける前記通信装置であって、
第１の回線を用いて、前記無線通信制御装置と通信する第１の通信部と、
第２の回線を用いて、前記無線通信制御装置が制御する他の通信装置と通信する第２の通信部と
を有することを特徴とする通信装置。
【発明の詳細な説明】
【技術分野】
【０００１】
本発明は、通信装置、通信方法、通信制御装置、基地局装置及び端末装置に関する。
【背景技術】
【０００２】
近年、無線通信システムに設けられる基地局装置が、例えば、ＢＢＵ（Base  Band  Unit）等の通信装置と、例えば、ＲＲＨ（Remote  Radio  Head）等の無線通信装置とに分離されている。そして、通信装置と無線通信装置とが、例えば、ＣＰＲＩ（Common  Public  Radio  Interface）等のインタフェースによって接続されることがある。また、３ＧＰＰで検討中の第５世代（５Ｇ）無線通信システムでは、基地局装置を制御する通信制御装置であるＣＵ（Central  Unit）と、信号の無線送受信をする通信装置であるＤＵ（Distributed  Unit）とに分離し、ＣＵとＤＵを前記ＣＰＲＩとはプロトコルが異なるＳＣＴＰ（Stream  Control  Transmission  Protocol）とＧＴＰ−Ｕ（GPRS-Tunneling  Protocol）等を用いたＦ１インタフェースによって接続することが検討されている。【０００３】
このように基地局装置の機能分離をすることにより、例えば、１つのＣＵに複数のＤＵを接続し、ＣＵとＤＵとを分散配置することで、低コストで広大なエリアをカバーする無線通信システムを構築することが可能となる。なお、１つのＣＵと１つのＤＵで、従来の基地局装置の機能を満たすことができる。【０００４】
ところで、一般に基地局装置の機能は、上位レイヤから順にＰＤＣＰ（Packet  Data  Convergence  Protocol）層、ＲＬＣ（Radio  Link  Control）層、ＭＡＣ（Media  Access  Control）層及び物理層の処理を含む。そして、第５世代（５Ｇ）無線通信システムでは、ユーザプレーン（Ｕプレーン）の機能に、ＰＤＣＰ層の上位レイヤであるＳＤＡＰ（Service  Data  Adaptation  Protocol）層の処理を導入することが議論されている。なお、ＢＢＵは上記ＰＤＣＰ、ＲＬＣ、ＭＡＣ及びベースバンド処理部を備え、ＲＲＨは増幅器を備えるものである。【０００５】
基地局装置をＣＵ及びＤＵに機能分離する際には、ＰＤＣＰ層とＲＬＣ層との間で分離するＨＬＳ（High  Layer  Split）と、ＭＡＣ層と物理層との間又は物理層を２つに分けて分離するＬＬＳ（Low  Layer  Split）とが検討されている。  
【先行技術文献】
【特許文献】
【０００６】
【特許文献１】特表２０１８−５０４０２９号公報
【非特許文献】
【０００７】
【非特許文献１】3GPP  TS  23.501  V15.3.0（2018-09）
【非特許文献２】3GPP  TS  36.211  V15.2.0（2018-06）
【非特許文献３】3GPP  TS  36.212  V15.2.1（2018-07）
【非特許文献４】3GPP  TS  36.213  V15.2.0（2018-06）
【非特許文献５】3GPP  TS  36.300  V15.2.0（2018-06）
【非特許文献６】3GPP  TS  36.321  V15.2.0（2018-07）
【非特許文献７】3GPP  TS  36.322  V15.1.0（2018-07）
【非特許文献８】3GPP  TS  36.323  V15.0.0（2018-07）
【非特許文献９】3GPP  TS  36.331  V15.2.2（2018-06）
【非特許文献１０】3GPP  TS  36.413  V15.2.0（2018-06）
【非特許文献１１】3GPP  TS  36.423  V15.2.0（2018-06）
【非特許文献１２】3GPP  TS  36.425  V15.0.0（2018-06）
【非特許文献１３】3GPP  TS  37.340  V15.2.0（2018-06）
【非特許文献１４】3GPP  TS  38.201  V15.0.0（2017-12）
【非特許文献１５】3GPP  TS  38.202  V15.2.0（2018-06）
【非特許文献１６】3GPP  TS  38.211  V15.2.0（2018-06）
【非特許文献１７】3GPP  TS  38.212  V15.2.0（2018-06）
【非特許文献１８】3GPP  TS  38.213  V15.2.0（2018-06）
【非特許文献１９】3GPP  TS  38.214  V15.2.0（2018-06）
【非特許文献２０】3GPP  TS  38.215  V15.2.0（2018-06）
【非特許文献２１】3GPP  TS  38.300  V15.2.0（2018-06）
【非特許文献２２】3GPP  TS  38.321  V15.2.0（2018-06）
【非特許文献２３】3GPP  TS  38.322  V15.2.0（2018-06）
【非特許文献２４】3GPP  TS  38.323  V15.2.0（2018-06）
【非特許文献２５】3GPP  TS  38.331  V15.2.1（2018-06）
【非特許文献２６】3GPP  TS  38.401  V15.2.0（2018-06）
【非特許文献２７】3GPP  TS  38.410  V15.0.0（2018-06）
【非特許文献２８】3GPP  TS  38.413  V15.0.0（2018-06）
【非特許文献２９】3GPP  TS  38.420  V15.0.0（2018-06）
【非特許文献３０】3GPP  TS  38.423  V15.0.0（2018-06）
【非特許文献３１】3GPP  TS  38.470  V15.2.0（2018-06）
【非特許文献３２】3GPP  TS  38.473  V15.2.1（2018-07）
【非特許文献３３】3GPP  TR  38.801  V14.0.0（2017-03）
【非特許文献３４】3GPP  TR  38.802  V14.2.0（2017-09）
【非特許文献３５】3GPP  TR  38.803  V14.2.0（2017-09）
【非特許文献３６】3GPP  TR  38.804  V14.0.0（2017-03）
【非特許文献３７】3GPP  TR  38.900  V15.0.0（2018-06）
【非特許文献３８】3GPP  TR  38.912  V15.0.0（2018-06）
【非特許文献３９】3GPP  TR  38.913  V15.0.0（2018-06）
【発明の概要】
【発明が解決しようとする課題】
【０００８】
同一ＣＵ配下のＤＵは、ＣＵに対応したセルを識別するセルＩＤが同一となるため、ＤＵから送信されるセルＩＤを用いて生成された同期信号及びＲＳ（Reference  Signal、パイロット）は同一の信号（又は信号列）となる。ＵＥは、セルＩＤ毎に測定された無線回線品質（Wireless  Channel  Quality）に基づき、ＨＯ（Hand  Over）を実行する。【０００９】
しかしながら、ＵＥは、セル単位で無線回線品質を測定できるものの、ＤＵ単位で無線回線品質、つまり通信装置毎の無線回線(Wireless  Channel)の状態を測定できない。その結果、ＵＥは、ＤＵ毎の無線回線の状態に基づき、無線回線品質がよりよいＤＵと接続するためのＤＵ間のパス切替を実行できない。【００１０】
一つの側面では、同一セルＩＤのＤＵにおいてＤＵ毎の無線回線の状態を測定できる通信装置等を提供することにある。
【課題を解決するための手段】
【００１１】
一つの態様の通信装置は、端末装置と無線通信する通信装置と、前記端末装置と前記通信装置との間の無線通信を制御する無線通信制御装置とを備えた基地局装置と、前記端末装置とを有する無線通信システムにおける通信装置である。通信装置は、受信部と、測定部と、送信部とを有する。前記受信部は、当該通信装置と前記端末装置との通信を制御する前記無線通信制御装置から測定要求を受信する。前記測定部は、前記端末装置との上り無線回線品質を測定する。前記送信部は、前記測定結果を前記無線通信制御装置に送信する。前記受信部は、上り無線回線品質の測定に関する制御情報を前記無線通信制御装置又は他の通信装置から受信する。
【発明の効果】
【００１２】
一つの態様では、同一の通信制御装置配下の通信装置毎の無線回線の状態を測定できる。
【図面の簡単な説明】
【００１３】
【図１Ａ】図１Ａは、実施例１の無線通信システムの一例を示す説明図である。
【図１Ｂ】図１Ｂは、他の例の無線通信システムの一例を示す説明図である。
【図２】図２は、ｇＮＢ内のＣＵの構成の一例を示すブロック図である。
【図３】図３は、ｇＮＢ内のＤＵの構成の一例を示すブロック図である。
【図４】図４は、ＵＥの構成の一例を示すブロック図である。
【図５】図５は、実施例１の無線通信システムのＤＵ間切替処理に関わる処理動作の一例を示すシーケンス図である。
【図６】図６は、実施例２の無線通信システムのＤＵ間切替処理に関わる処理動作の一例を示すシーケンス図である。
【図７】図７は、実施例３の無線通信システムの一例を示す説明図である。
【図８】図８は、実施例３のｇＮＢ内のＤＵの構成の一例を示すブロック図である。
【図９】図９は、実施例３の無線通信システムのＤＵ間切替処理に関わる動作の一例を示すシーケンス図である。
【図１０】図１０は、実施例４の無線通信システムの一例を示す説明図である。
【図１１】図１１は、実施例５の無線通信システムの一例を示す説明図である。
【発明を実施するための形態】
【００１４】
以下、本実施の形態について図面を参照して詳細に説明する。本明細書における課題及び実施例は一例であり、本願の権利範囲を限定するものではない。特に、記載の表現が異なっていたとしても技術的に同等であれば、異なる表現であっても本願の技術を適用可能であり、権利範囲を限定するものではない。そして、各実施の形態は、処理内容を矛盾させない範囲で適宜組み合わせることが可能である。
【００１５】
また、本明細書で使用している用語や記載した技術的内容は、３ＧＰＰなど通信に関する規格として仕様書や寄書に記載された用語や技術的内容が適宜用いられてもよい。
【００１６】
以下に、本願の開示する通信装置、通信方法、通信制御装置、基地局装置及び端末装置の実施例を、図面に基づいて詳細に説明する。なお、以下の実施例は開示の技術を限定するものではない。
【実施例１】
【００１７】
図１Ａは、実施例１の無線通信システム１の一例を示す図である。図１Ａに示す無線通信システム１は、コアネットワーク２と、スマートフォンやタブレット等の端末装置  (例えばＵＥ（User  Equipment）とも言う)３と、ＵＥ３と無線通信する基地局装置である、例えば、ｇＮＢ（g  Node  B）４とを有する。【００１８】
コアネットワーク２は、ユーザデータを伝送するサーバ（ゲートウェイ）であるＵＰＦ（User  Plane  Function）１１と、ＵＥ３の無線接続やＵＥ３の移動に関する制御を行うサーバであるＡＭＦ（Access  and  Mobility  Management  Function）１２と、ＵＥ３との接続を制御するサーバであるＳＭＦ（Session  Management  Function）１３とを有する。ＵＰＦ１１は、ユーザプレーンを制御する装置であり、ユーザデータのルーティングや転送を実行する。ＡＭＦ１２は、コントロールプレーンを制御する装置であり、無線アクセスネットワーク（ＲＡＮ：Radio  Access  Network）におけるコントロールプレーンを終端する。ＳＭＦ１３は、セッション（接続）を管理する装置である。なお、ユーザプレーンはユーザデータを処理する領域であり、コントロールプレーンは制御情報を処理する領域である。よって、ＵＰＦ１１はユーザデータの伝送を制御する装置であり、ＡＭＦ１２は通信を制御し、制御情報の伝送を制御する装置である。ＵＰＦ１１、ＡＭＦ１２及びＳＭＦ１３については、前述した非特許文献１〜３９等に記載されている。【００１９】
ｇＮＢ４は、ＤＵ（Distributed  Unit）２１と、ＤＵ２１を制御するＣＵ(Central  Unit)２２とを有する。尚、ｇＮＢ４は、ＣＵ２２とＤＵ２１とを分離する際、ＰＤＣＰ層とＲＬＣ層との間で分離するＨＬＳ（High  Layer  Split）のタイプである。ＣＵ２２配下のＤＵ２１は、ＣＵ２２と同一のセルＩＤである。ＣＵ２２配下のＤＵ２１を第１のＤＵ２１Ａと、第２のＤＵ２１Ｂとする。尚、第１のＤＵ２１Ａと第２のＤＵ２１Ｂとは、例えば、地理的に異なる場所に配置されるものとする。１つのＣＵ２２と１つのＤＵ２１とで、ｇＮＢ４の機能を満たすことができる。尚、説明の便宜上、図１Ａに示す無線システム１を例示したが、図１Ｂに示す無線システム１Ｄでも本願発明を適用できる。図１Ａに示す無線システム１と同一の構成には同一符号を付すことで、その重複する構成及び動作の説明については省略する。図１Ｂに示すように、１つのＣＵ２２と１つの第１のＤＵ２１Ａで基地局ｇＮＢ（４Ａ）を構成し、同じ１つのＣＵ２２と１つの第２のＤＵ２１Ｂで１つの他の基地局ｇＮＢ（４Ｂ）を構成してもよい。【００２０】
ＣＵ２２は、ＵＰＦ１１及びＡＭＦ１２との間をＮＧ回線５で接続する。ＣＵ２２は、ＵＰＦ１１との間をユーザプレーン用のＮＧ回線（ＮＧ−Ｕ：U-plane  NG回線）５Ａで接続する。ＣＵ２２は、ＡＭＦ１２との間をコントロールプレーン用のＮＧ回線（ＮＧ−Ｃ：C-plane  NG回線）５Ｂで接続する。更に、ＣＵ２２は、ＤＵ２１内の第１のＤＵ２１Ａ及び第２のＤＵ２１Ｂとの間をＦ１回線６で接続する。Ｆ１回線６は、Ｆ１インタフェースの回線である（ＴＳ３８．４７０，ＴＳ３８．４７１，ＴＳ３８．４７２，ＴＳ３８．４７３，ＴＳ３８．４７４，ＴＳ３８．４７５参照）。また、ＣＵ２２は、他のｇＮＢ４内のＣＵ２２との間をＸｎ回線７（図２参照）で接続する。Ｘｎ回線７は、Ｘｎインタフェースの回線である。【００２１】
図２は、ｇＮＢ４内のＣＵ２２の構成の一例を示すブロック図である。図２に示すＣＵ２２は、ＮＧ通信部（又はＮＧインターフェース）３１と、Ｆ１通信部（又はＦ１インターフェース）３２と、Ｘｎ通信部（又はＸｎインタフェース）３３と、ＩＦ制御部（又はインターフェースコントローラ）３４と、ＲＲＣ(Radio  Resource  Controller)３５とを有する。ＣＵ２２は、ＳＤＡＰ(Service  Data  Adaptation  Protocol)３６と、ＰＤＣＰ(Packet  Data  Convergence  Protocol)３７とを有する。ＮＧ通信部３１は、コアネットワーク２内のＡＭＦ１２やＵＰＦ１１との間をＮＧ回線５で接続する通信ＩＦである。ＮＧ通信部３１は、ＮＧ回線５を用いてＡＭＦ１２との間で制御情報を通信(communicate)（送受信(transmit  and  receive)、又は交換(transfer)）すると共に、ＮＧ回線５を用いてＵＰＦ１１との間でユーザデータを通信（送受信、又は交換）する。Ｆ１通信部３２は、ｇＮＢ４内のＤＵ２１との間をＦ１回線６で接続する通信ＩＦである。Ｆ１通信部３２は、Ｆ１回線６を用いてＤＵ２１との間で制御情報及びユーザデータを通信（送受信、又は交換）する。Ｆ１回線６で伝送するユーザデータは、例えば、ＰＤＣＰ  ＰＤＵ（Protocol  Data  Unit）である。Ｘｎ通信部３３は、他のＣＵ２２との間をＸｎ回線７で接続する通信ＩＦである。Ｘｎ回線７は、他のＣＵ２２との間で、コントロールプレーンでの制御信号をＳＣＴＰ等を用いて伝送すると共に、ユーザプレーンでのユーザデータをＧＴＰ−Ｕ等を用いて伝送する。Ｘｎ通信部３３は、Ｘｎ回線７を用いて他のＣＵ２２との間で制御情報及びユーザデータを通信（送受信、又は交換）する。尚、Ｘｎ回線７で伝送するユーザデータは、例えば、ＰＤＣＰ  ＳＤＵ(Service  Data  Unit)である。【００２２】
ＩＦ制御部３４は、ＮＧ通信部３１、Ｆ１通信部３２及びＸｎ通信部３３を制御する。ＩＦ制御部３４は、例えば、ＡＭＦ１２との回線（ＮＧ−Ｃ）５Ｂの設定(setup)、追加(addition)、変更(modification)及び削除(解放(release))などの制御、ＵＰＦ１１との回線（ＮＧ−Ｕ）５Ａの設定、追加、変更及び削除などの制御を実行する。また、ＩＦ制御部３４は、ＤＵ２１との回線（Ｆ１、又はＦ１−ＣとＦ１−Ｕ）６の設定、追加、変更及び削除などの制御、他のＣＵ２２との回線（Ｘｎ、又はＸｎ−ＣとＸｎ−Ｕ）７の設定、追加、変更及び削除などの制御を実施する。なお、ＮＧ、Ｆ１及びＸｎの制御を別々のＩＦ制御部が実施してもよい。ＲＲＣ３５は、ｇＮＢ４とＵＥ３との間の回線接続、無線回線品質測定や無線ネットワークのリソースを管理又は制御するＲＲＭ（Radio  Resource  Management）を実施する（ＴＳ３８．３３１参照）。ＳＤＡＰ３６、例えば、フロー単位のデータ又はユーザデータのＱｏＳ（Quality  of  Service）を制御する又はデータ又はユーザデータの伝送速度、最大伝送遅延又伝送品質などの規定を満たすように制御するＳＤＡＰ層の処理を実行する（ＴＳ３７．３２４参照）。ＰＤＣＰ３７は、例えば、データの順序整列、ヘッダ圧縮や暗号化等のＰＤＣＰ層の処理を実行する（ＴＳ３８．３２３参照）。【００２３】
Ｆ１通信部３２は、Ｆ１回線６を用いて上り無線回線品質の測定要求等の制御情報をＤＵ２１に通知する。Ｆ１通信部３２は、Ｆ１回線６を用いてＤＵ２１から通知された測定要求に対する無線回線品質の測定結果等の制御情報を受信する。ＲＲＣ３５は、配下のＤＵ２１間でＵＥ３とのパス（無線回線）、又は無線接続を切替えるための端末個別又は端末共通の制御情報を生成する。Ｆ１通信部３２は、Ｆ１回線６を用いてパス切替（無線回線切替、無線接続切替）等の端末個別又は端末共通の制御情報を配下ＤＵ２１に通知する。【００２４】
図３は、ｇＮＢ４内のＤＵ２１の構成の一例を示すブロック図である。図３に示すｇＮＢ４内のＤＵ２１は、アンテナ４１と、Ｆ１通信部４２と、ＩＦ制御部４３と、ＲＬＣ（Radio  Link  Control）４４と、ＭＡＣ(Medium  Access  Control)４５と、ベースバンド処理部４６と、物理層４７とを有する。アンテナ４１は、無線回線を用いてＵＥ３との間で無線通信する無線アンテナである。Ｆ１通信部４２は、ＣＵ２２との間をＦ１回線６で接続する通信ＩＦである。ＩＦ制御部４３は、Ｆ１通信部４２を制御する。ＩＦ制御部４３は、例えば、ＣＵ２２とのＦ１回線６の設定(setup)、追加(addition)、変更(modification)及び削除(解放(release))などの制御を実施する。ＲＬＣ４４は、例えば、ＵＥ３との間の再送制御、重複検出、順序整列等の処理を実行するＲＬＣ層の処理を実行する（ＴＳ３８．３２２参照）。ＭＡＣ４５は、例えば、無線リソースの割当、データマッピングや再送制御等のＭＡＣ層の処理を実行する（ＴＳ３８．３２１参照）。ベースバンド処理部４６は、例えば、Ｄ／Ａ（Digital/Analog）変換、Ａ／Ｄ（Analog/Digital）変換、増幅等の処理を実行するアナログベースバンド処理部４６Ａと、例えば、変調や符号化等の処理を実行するディジタルベースバンド処理部４６Ｂとを有する（ＴＳ３８．２１１、ＴＳ３８．２１２参照）。アナログベースバンド処理部４６Ａは、受信部５１と、送信部５２とを有する。受信部５１は、アンテナ４１経由でＵＥ３との間のユーザデータ等の無線信号を受信する処理部である。送信部５２は、アンテナ４１経由でＵＥ３との間のユーザデータ等の無線信号を送信する処理部である。なお、ＢＢＵは、例えば、ＳＤＡＰ、ＰＤＣＰ、ＲＬＣ、ＭＡＣ及びディジタルベースバンド処理部等を備えるものであり、ＲＲＨは、アナログベースバンド処理部及び増幅器等を備えるものである。よって、ＢＢＵとＲＲＨとの組み合わせと、ＣＵ２２とＤＵ２１との組み合わせとは、それぞれが持つ機能が異なる。更に装置間を結ぶＩＦや用いられるプロトコルも異なる。【００２５】
ディジタルベースバンド処理部４６Ｂは、生成部５３と、符号化・変調部５４と、復調・復号部５５と、抽出部５６と、測定部５７とを有する。生成部５３は、測定制御情報を生成する。測定制御情報は、ＳＲＳに関する無線リソース等の測定制御情報を含む。符号化・変調部５４は、データ信号を符号化・変調し、変調後のデータ信号を送信部５２に送信する。復調・復号部５５は、受信部５１から受信したデータ信号を復調・復号化し、復号化後のデータ信号を出力する。抽出部５６は、復号化後のデータ信号から制御情報を抽出し、抽出した制御情報をＭＡＣ４５に出力する。測定部５７は、復号化後のデータ信号内のＲＳ（Reference  Signal）に基づき、ＵＥ３との上り無線回線品質を測定し、上り無線回線品質の測定結果をＭＡＣ４５に出力する。尚、ＲＳは、複数種のＲＳの内、ＳＲＳ（Sounding  Reference  Signal）を使用する(ＴＳ３８．２１１)。受信部５１、復調・復号部５５、抽出部５６及び測定部５７で受信処理部４６１とする。また、生成部５３、符号化・変調部５４及び送信部５２で送信処理部４６２とする。なお、上りの端末個別ＲＳを用いてもよい。【００２６】
ＤＵ２１内の測定部５７は、ＵＥ３からのＳＲＳを用いて、ＲＳＲＱ（RS  Received  Quality）やＲＳＲＰ（RS  Received  Power）等の上り無線回線品質を測定する。尚、ＵＥ３は、ＤＵ２１からの同期信号（ＳＳ：Synchronization  Signal）に応じてＳＲＳを送信することになる。ＵＥ３は、同期信号やタイミング情報（ＴＡ:Timing  Advanced）に基づき、ＤＵ２１に対する他のＵＥ３からの上り無線信号の受信タイミングが一致するように、伝搬遅延を考慮したＳＲＳの送信タイミングを調整する。【００２７】
Ｆ１通信部４２は、Ｆ１回線６を用いてＣＵ２２との間で制御情報及びユーザデータを通信(communicate)（送受信(transmit  and  receive)、又は交換(transfer)）する。尚、Ｆ１回線６で伝送するユーザデータは、ＰＤＣＰ−ＰＤＵである。Ｆ１通信部４２は、Ｆ１回線６を通じてＣＵ２２から通知された上り無線回線品質を測定するための測定要求や、ＣＵ２２から通知された、又は他のＤＵ２１から通知された上り無線回線品質測定を実施するための測定制御情報（例えば、ＳＲＳを送信するために使用する測定無線リソース情報やＳＲＳを生成するための情報等）を受信する。送信部５２は、自装置がＵＥ３と無線通信中の場合、上り無線回線品質を測定するための測定制御情報を生成し、生成した測定制御情報をＵＥ３に送信する。更に、Ｆ１通信部４２は、生成した測定制御情報をＦ１回線６を通じて他のＤＵ２１にＣＵ２２経由で通知する。測定部５７は、測定制御情報に基づき、ＵＥ３からのＳＲＳを用いてＵＥ３との間の上り無線回線品質を測定する。Ｆ１通信部４２は、Ｆ１回線６を用いて測定部５７の上り無線回線品質の測定結果をＣＵ２２に通知する。【００２８】
尚、説明の便宜上、ＣＵ２２は、２つのＤＵ２１と接続する場合を例示したが、２つのＤＵ２１に限定されるものではなく、例えば、１つ若しくは３つ以上でも良く、適宜変更可能である。尚、ｇＮＢ４は、複数のＣＵ２２又は複数のＤＵ２１を有する構成でも良い。また、ｇＮＢ４を構成するＣＵ２２とＤＵ２１は、互いに遠隔地に配置されても良い。【００２９】
図４は、ＵＥ３の構成の一例を示すブロック図である。図４に示すＵＥ３は、アンテナ６１と、ベースバンド処理部６２と、物理層６３と、ＭＡＣ６４と、ＲＬＣ６５と、ＰＤＣＰ６６と、制御部６７とを有する。アンテナ６１は、無線回線を用いてＤＵ２１との間で無線通信する無線アンテナである。物理層６３は、例えば、Ｄ／Ａ（Digital/Analog）変換、Ａ／Ｄ（Analog/Digital）変換や増幅等の物理層の処理を実行する。ベースバンド処理部６２は、例えば、変調や符号化等の処理を実行する。ＭＡＣ６４は、例えば、データマッピングや再送制御等のＭＡＣ層の処理を実行する。ＲＬＣ６５は、例えば、再送制御、重複検出、順序整列等のＲＬＣ層の処理を実行する。ＰＤＣＰ６６は、例えば、データの順序整列、ヘッダ圧縮や暗号化等のＰＤＣＰ層の処理を実行する。制御部６７は、例えば、ｇＮＢ４からの無線リソース割当等に従った送信及び受信制御やＨＯ制御等の処理を実行するＲＲＣ（Radio  Resource  Control）である。制御部６７は、ＵＥ３全体を制御する。制御部６７は、ベースバンド処理部６２、物理層６３、ＭＡＣ６４、ＲＬＣ６５及びＰＤＣＰ６６を制御する。制御部６７は、ｇＮＢ４から通知された無線リソース、変調方式や符号化率等に基づき、上り無線回線の送信処理を実行する。また、制御部６７は、ｇＮＢ４から通知された無線リソース、復調方式及び復号化率等に基づき、下り無線回線の受信処理を実行する。【００３０】
ベースバンド処理部６２は、例えば、Ｄ／Ａ（Digital/Analog）変換、Ａ／Ｄ（Analog/Digital）変換、増幅等の処理を実行するアナログベースバンド処理部６２Ａと、例えば、変調や符号化等の処理を実行するディジタルベースバンド処理部６２Ｂとを有する。アナログベースバンド処理部６２Ａは、受信部７１と、送信部７２とを有する。受信部７１は、アンテナ６１を通じてＤＵ２１との間の無線信号を受信する。送信部７２は、アンテナ６１を通じてＤＵ２１との間の無線信号を送信する。【００３１】
ディジタルベースバンド処理部６２Ｂは、復調・復号部７３と、抽出部７４と、測定部７５と、第１の生成部７６と、第２の生成部７７と、第３の生成部７８と、符号化・変調部７９とを有する。復調・復号部７３は、受信部７１から受信信号を復調・復号化してデータ信号を出力する。抽出部７４は、復号化後のデータ信号から制御情報を抽出する。測定部７５は、復号化後のデータ信号のＲＳからＤＵ２１との間の下り無線回線品質を測定する。第１の生成部７６は、測定部７５からの無線回線品質の測定結果を含む制御情報を生成し、ＭＡＣ６４からの送信データに制御情報を付加する。第２の生成部７７は、ＳＲＳを生成する。なお、ＳＲＳを送信データに付加してもよい。第３の生成部７８は、制御情報を生成する。生成した制御情報を送信データに付加してもよい。尚、制御情報は、例えば、ＡＣＫ／ＮＡＣＫ、ＣＱＩ(Channel  Quality  Indicator)、ＲＩ(Rank  Indicator)又はＰＭＩ(Precoding  Matrix  Indicator)であって、ＰＵＣＣＨ（Physical  Uplink  Control  Channel）を用いてユーザデータに付加することなく上り送信可能である。また、ＰＵＳＣＨ（Physical  Uplink  Shared  Channel）を用いてユーザデータに制御情報を付加して送信することも可能である。符号化・変調部７９は、送信データを復号化して変調し、変調後の送信データを送信部７２に転送する。尚、受信部７１、復調・復号部７３、抽出部７４及び測定部７５で受信処理部６２１とする。また、第１の生成部７６、第２の生成部７７、第３の生成部７８、符号化・変調部７９及び送信部７２で送信処理部６２２とする。【００３２】
制御部６７は、回線制御部８１と、ＨＯ制御部８２とを有する。回線制御部８１は、制御情報に基づき、例えば、ＨＯ制御部８２を制御する。ＨＯ制御部８２は、例えば、ＵＥ３に対するＣＵ２２間のＨＯ（Hand  Over）や、ＵＥ３に対する同一ＣＵ２２配下のＤＵ２１間のパス切替を制御する。尚、ＤＵ２１間のパス切替は、セルが切り替わるＨＯとは異なる。【００３３】
図５は、実施例１の無線通信システム１のＤＵ間切替処理に関わる処理動作の一例を示すシーケンス図である。尚、説明の便宜上、無線通信システム１では、ＣＵ２２が第１のＤＵ２１Ａ及び第２のＤＵ２１Ｂに同一のユーザデータ（ＰＤＣＰ  ＰＤＵ）を伝送し、ＵＥ３と無線通信中の第１のＤＵ２１ＡがＵＥ３にユーザデータを伝送しているものとする。ｇＮＢ４内のＣＵ２２は、Ｆ１回線６を通じてユーザデータ（ＰＤＣＰ  ＰＤＵ）を第１のＤＵ２１Ａ及び第２のＤＵ２１Ｂに送信する（ステップＳ１１）。ＵＥ３と無線通信中の第１のＤＵ２１Ａは、ユーザデータを受信した場合、ＵＥ３に無線リソースを割当てるスケジューリング処理を実行する（ステップＳ１２）。第１のＤＵ２１Ａは、上り・下りデータ伝送制御情報を生成し、生成した上り・下りデータ伝送制御情報をＵＥ３に送信する（ステップＳ１３）。ＵＥ３は、上り・下りデータ伝送制御情報に基づき、ユーザデータを第１のＤＵ２１Ａとの間で無線通信する（ステップＳ１４）。第１のＤＵ２１Ａは、Ｆ１回線６を用いて、ユーザデータを受信した場合、当該ユーザデータをＣＵ２２に送信する（ステップＳ１５）。【００３４】
ＣＵ２２は、Ｆ１回線６を用いて、上り無線回線品質の測定要求を第１のＤＵ２１Ａ及び第２のＤＵ２１Ｂに通知する（ステップＳ１６）。ＵＥ３と無線通信する第１のＤＵ２１Ａは、ＣＵ２２から測定要求を受信した場合、測定対象のＵＥ３に対してＳＲＳ送信のための無線リソースを割当てるスケジューリング処理を実行する（ステップＳ１７）。尚、スケジューリング処理は、ＳＲＳを送信する際の無線リソースや送信タイミング、ＳＲＳを生成する際に必要なパラメータやＳＲＳシーケンス等の情報を含む測定制御情報を生成する。第１のＤＵ２１Ａは、スケジューリング処理を実行後、Ｆ１回線６を用いて、生成した測定制御情報をＣＵ２２に送信する（ステップＳ１８）。更に、第１のＤＵ２１Ａは、無線回線を用いて、生成した測定制御情報をＵＥ３に送信する（ステップＳ１９）。更に、ＣＵ２２は、Ｆ１回線６を用いて、第１のＤＵ２１Ａから測定制御情報を受信した場合、Ｆ１回線６を用いて第１のＤＵ２１Ａからの測定制御情報を第２のＤＵ２１Ｂに転送する（ステップＳ２０）。【００３５】
更に、ＵＥ３は、ステップＳ１９にて受信した測定制御情報に基づき、無線回線を用いてＳＲＳを送信する（ステップＳ２１）。第１のＤＵ２１Ａ及び第２のＤＵ２１Ｂは、ＵＥ３からのＳＲＳを受信することになる。第１のＤＵ２１Ａは、ＵＥ３から受信したＳＲＳに基づき、例えば、ＲＳＲＰ及びＲＳＰＱ等の上り無線回線品質を測定する（ステップＳ２２Ａ）。同様に、第２のＤＵ２１Ｂも、ＵＥ３から受信したＳＲＳに基づき、例えば、ＲＳＲＰ及びＲＳＰＱ等の上り無線回線品質を測定する（ステップＳ２２Ｂ）。尚、第１のＤＵ２１Ａ及び第２のＤＵ２１Ｂが受信するＳＲＳは、ＵＥ３があるタイミングで発信した同じＳＲＳである。【００３６】
更に、第１のＤＵ２１Ａは、Ｆ１回線６を用いて、ステップＳ２２Ａの上り無線回線品質の測定結果をＣＵ２２に通知する（ステップＳ２３Ａ）。また、第２のＤＵ２１Ｂは、Ｆ１回線６を用いて、ステップＳ２２Ｂの上り無線回線品質の測定結果をＣＵ２２に通知する（ステップＳ２３Ｂ）。【００３７】
ＣＵ２２は、第１のＤＵ２１Ａからの測定結果と、第２のＤＵ２１Ｂからの測定結果とに基づき、測定対象ＵＥ３を最適な上り無線回線品質のＤＵ２１に切替えるための回線制御を実行する（ステップＳ２４）。ＣＵ２２は、回線制御の実行に応じてパス切替要求を第１のＤＵ２１Ａ及び第２のＤＵ２１Ｂに通知する（ステップＳ２５）。尚、説明の便宜上、ＣＵ２２は、上り無線回線品質の測定結果に基づき、第２のＤＵ２１Ｂの上り無線回線品質が第１のＤＵ２１Ａの上り無線回線品質よりも良好と判断する。この場合、ＣＵ２２は、測定対象ＵＥ３の接続先を第１のＤＵ２１Ａから第２のＤＵ２１Ｂに切替えるパス切替要求を第１のＤＵ２１Ａ及び第２のＤＵ２１Ｂに送信する。【００３８】
第１のＤＵ２１Ａ及び第２のＤＵ２１Ｂは、パス切替要求に応じて、ＵＥ３との無線通信を第１のＤＵ２１Ａから第２のＤＵ２１Ｂに切替えるＤＵ間切替処理を実行する（ステップＳ２６）。つまり、ＵＥ３は、第１のＤＵ２１Ａから第２のＤＵ２１Ｂに切替接続したことになる。尚、第１のＤＵ２１Ａから第２のＤＵ２１Ｂに切替えるＤＵ２１間のパス切替は、セルを切替えるＨＯと異なる。【００３９】
ＣＵ２２は、Ｆ１回線６を用いて、ユーザデータを第２のＤＵ２１Ｂに送信する（ステップＳ２７）。第２のＤＵ２１Ｂは、ＵＥ３が上りユーザデータを送信するための上り無線リソース要求、又はＣＵ２２から送信ユーザデータが届いた場合、第２のＤＵ２１Ｂが測定した上り無線回線品質又は、ＵＥ３が測定してＤＵ２１Ｂに通知した下り無線回線品質に基づいてＵＥ３の無線リソースを割当てるスケジューリング処理を実行する（ステップＳ２８）。更に、第２のＤＵ２１Ｂは、上り・下りデータ伝送制御情報を生成し、生成した上り・下りデータ伝送制御情報をＵＥ３に送信する（ステップＳ２９）。更に、ＵＥ３は、上り・下りデータ伝送制御情報に基づき、無線回線を用いてユーザデータを第２のＤＵ２１Ｂとの間で通信する（ステップＳ３０）。第２のＤＵ２１Ｂは、ＵＥ３から上りユーザデータを受信した場合、Ｆ１回線６を用いて当該ユーザデータをＣＵ２２に送信する（ステップＳ３１）。【００４０】
ＣＵ２２は、Ｆ１回線６を用いて配下の第１のＤＵ２１Ａ及び第２のＤＵ２１Ｂに同一のユーザデータを送信するシステムにおいて、Ｆ１回線６を用いて測定要求を第１のＤＵ２１Ａ及び第２のＤＵ２１Ｂに送信する。第１のＤＵ２１Ａは、測定要求に応じて無線接続中のＵＥ３に対してスケジューリング処理を実行する。第１のＤＵ２１Ａは、無線回線を用いて上り無線回線品質測定を実施するための制御情報（例えばＳＲＳを送信するために使用する無線リソース情報やＳＲＳを生成するための情報）をＵＥ３に送信すると共に、Ｆ１回線６を用いて上り無線回線品質測定のための測定制御情報をＣＵ２２に通知する。そして、ＣＵ２２は、Ｆ１回線６を用いて上り無線回線品質の測定制御情報を第２のＤＵ２１Ｂに通知（転送）する。その結果、ＵＥ３は、測定制御情報に基づき、ＳＲＳを生成し、生成したＳＲＳを第１のＤＵ２１Ａ及び第２のＤＵ２１Ｂに送信する。そして、第１のＤＵ２１Ａ及び第２のＤＵ２１Ｂは、ＵＥ３からのＳＲＳに基づき、ＵＥ３との上り無線回線品質を測定できる。【００４１】
スケジューリングは、各ＤＵ２１のＭＡＣの機能として備えられたスケジューラによって実施される。上りスケジューリングは、上り無線回線品質の測定結果に基づいて、上り送信を許可するＵＥ３を選択し、選択したＵＥ３に対して上り送信する際に使用する上り無線リソース、変調方式及び符号化率（符号化方法）等を選択するものである。更に、選択したＵＥ３に対して、選択した変調方式及び符号化率等を下り制御チャネルを用いて通知する。ＳＲＳについても、同様にＳＲＳ送信を要求するＵＥ３を選択し、上り無線回線品質の測定を実施するための制御情報を、端末個別チャネルを用いて通知する。【００４２】
スケジューラは、ＣＵ２２のＭＡＣの機能である。従って、第１のＤＵ２１Ａと第２のＤＵ２１Ｂとのスケジューラは異なる。すなわち、それぞれのスケジューラは、ＳＲＳ送信を要求するＵＥ３が異なり、上り無線回線品質の測定を実施するための測定制御情報も異なる。このため、ＵＥ３に対してＳＲＳ送信要求を実施した第１のＤＵ２１Ａは容易に上り無線回線品質の測定が実施可能であるが、ＵＥ３に対してＳＲＳ送信要求を実施していない他の第２のＤＵ２１Ｂは、上り無線回線品質の測定を実施するための測定制御情報を知らないため、ＵＥ３が送信したＳＲＳを用いた上り無線回線品質の測定を実施できない。第２のＤＵ２１Ｂが、ＵＥ３が送信したＳＲＳを用いた上り無線回線品質の測定を実施するためには、上述のように第１のＤＵ２１Ａが第２のＤＵ２１Ｂに対して、Ｆ１回線６を用いて、ＳＲＳ送信を要求したＵＥ３を識別するための情報と、測定制御情報とを通知する。【００４３】
更に、第２のＤＵ２１Ｂは、第１のＤＵ２１Ａから通知された測定制御情報に含まれるＳＲＳ送信に用いる無線リソースを他のＵＥ３に割り当てもよい。すなわち、通知されたＵＥ３のＳＲＳ送信に対して干渉とならないように、他のＵＥ３に対して通知された無線リソース以外の無線リソースを制御してもよい（割り当てもよい。スケジュールしてもよい）。又は、通知された無線リソースで送信しても干渉とならないように制御してもよい。【００４４】
更に、第１のＤＵ２１Ａ及び第２のＤＵ２１Ｂは、Ｆ１回線６を用いて上り無線回線品質の測定結果をＣＵ２２に通知する。ＣＵ２２は、第１のＤＵ２１Ａ及び第２のＤＵ２１Ｂの測定結果に基づき、ＵＥ３に対して同一ＣＵ２２配下のＤＵ間切替処理を実行する。その結果、ＣＵ２２は、同一ＣＵ２２配下の複数のＤＵ２１における上り無線回線品質を基に、ＵＥ３が接続すべきＤＵ２１を制御する。【００４５】
第１のＤＵ２１Ａ、第２のＤＵ２１Ｂ及びＣＵ２２は物理的に別な装置であり、地理的に離れて配置される。このため、第１のＤＵ２１ＡとＵＥ３との間の無線通信における第１の伝搬経路や第１の伝搬距離と、第２のＤＵ２１ＢとＵＥ３との間の無線通信における第２伝搬経路や第２伝搬距離とは異なる。このため、第１のＤＵ２１ＡとＵＥ３との間の第１の無線回線品質と、第２のＤＵ２１ＢとＵＥ３との間の第２の無線回線品質とは異なる。すなわち、各ＤＵ２１が測定した上り無線回線品質が異なる。よって、ＣＵ２２は、例えば、最も上り無線回線品質の良いＤＵ２１（ここでは、第２のＤＵ２１Ｂが測定した第２の上り無線回線品質が、第１のＤＵ２１Ａが測定した第１の上り無線回線品質よりも良いとする）を選択し、接続先を第１のＤＵ２１Ａから第２のＤＵ２１Ｂへ切り替えるように第２のＤＵ２１Ｂに通知する。ＣＵ２２は、ＵＥ３の接続先を第１のＤＵ２１Ａから第２のＤＵ２１Ｂへ切り替えることを、第１のＤＵ２１Ａと第２のＤＵ２１Ｂとに通知する。更に、ＣＵ２２はＵＥ３向けの下りユーザデータの送信先を第１のＤＵ２１Ａから第２のＤＵ２１Ｂへ切り替える切替処理を実施する。【００４６】
ＵＥ３向けの下りユーザデータをＣＵ２２から受信した第２のＤＵ２１Ｂは、ＵＥ３に対して下り無線回線品質測定（又はＣＱＩ）を要求し、ＵＥ３から通知された下り無線回線品質（ＣＱＩ（Channel  Quality  Indicator）を基に下りスケジューリングを実施し、ユーザデータをＵＥ３へ送信する際に使用する無線リソース等の下り送信制御情報と該下りユーザデータをＵＥ３へ無線送信する。また、第２のＤＵ２１Ｂは、ＵＥ３に対してＳＲＳ送信を要求し、端末から送信されたＳＲＳを基に上り無線回線品質を測定し、該上り無線回線品質を基に上りスケジューリングを実施し、ＵＥ３が上りユーザデータを上り送信する際に使用する無線リソース等の上り送信制御情報をＵＥ３に通知する。該上り送信制御情報を受信したＵＥ３は、該上り送信制御情報に従い、第２のＤＵ２１Ｂに対して上りユーザデータを送信する。【００４７】
ＤＵ間切替処理は、通常のハンドオーバ（ＨＯ）と異なり、ランダムアクセスにより接続先の変更の必要がなく、ＵＥ３側では意識することなく接続先ＤＵ２１が切り替わるため、ＰＤＣＣＨやＰＤＳＣＨの送信元が切り替わるだけで無瞬断のＨＯとなる。下り無線回線は、送信元ＤＵ２１が複数であるため、ＤＵ２１の識別が必要となるが、上り無線回線は、送信元ＵＥ３が１つであるため、端末個別のＳＲＳであり、他のＳＲＳとの識別は容易となり、しかも、受信先ＤＵ２１毎に上り無線回線品質が異なる。従って、上り無線回線であればＤＵ２１の選択が可能となる。【００４８】
また、ＤＵ２１の設置場所が異なる場合、ＤＵ２１とＵＥ３との間の距離が異なるため、ＤＵ２１Ａ及びＤＵ２１Ｂが測定した上り無線回線品質が異なることは明らかである。ＣＵ２２は、第１のＤＵ２１Ａ及び第２のＤＵ２１Ｂの上り無線回線品質を比較することで、ＵＥ３が接続すべきＤＵ２１を選択できる。尚、接続するＤＵ２１の切替又は変更が頻発しないように、ヒステリシスを設定してもよい。第１のＤＵ２１Ａと第２のＤＵ２１Ｂとの周波数が異なっていれば、ＤＵ２１を識別可能である。【００４９】
ＣＵ２２は、同一ＣＵ２２配下のＤＵ２１に対して、特定したＵＥ３からの上り無線回線品質の測定を要求する。ＤＵ２１は、測定要求を検出した場合、他のＤＵ２１に対して、ＵＥ３が送信するＳＲＳの無線リソース及びＳＲＳ生成のための情報(又はＳＲＳ)等を含む測定制御情報を通知する。尚、測定制御情報には、周期的なＳＲＳの送信要求や非周期的なＳＲＳ送信要求を追加してもよい。ＵＥ３は、無線リソース情報を用いて割り当てられた無線リソースでＳＲＳを送信する。ＤＵ２１は、ＳＲＳを受信した場合、上り無線回線品質の測定を実行し、ＣＵ２２に対して測定結果を通知する。ＣＵ２２は、測定結果を受信した場合、測定結果に基づき、ＵＥ３と通信する切替先のＤＵ２１を判断する。ＣＵ２２は、接続中のＤＵ２１と変更先のＤＵ２１に対してパス切替を要求する。尚、ＳＲＳに限定されるものではなく、回線品質等が取得可能なＲＳ等の他の信号であれば良く、適宜変更可能である。【００５０】
ＣＵ２２は、同一同期信号及びＳＲＳを用いたエリア間、すなわちＤＵ２１間のパス切替処理が可能になる。その結果、ＵＥ３は、上り無線回線品質が良好なＤＵ２１と接続できる。しかも、ユーザデータの伝送速度やスループット及び伝送遅延を改善できる。【００５１】
実施例１では、ＣＵ２２が複数のＤＵ２１に同一のユーザデータを伝送し、複数のＤＵ２１の内、１つのＤＵ２１がＵＥ３にユーザデータを伝送するシステムにおいて、第１のＤＵ２１Ａが測定制御情報を第２のＤＵ２１Ｂ及びＵＥ３に送信する。第１のＤＵ２１Ａ及び第２のＤＵ２１Ｂは、測定制御情報に基づき、ＵＥ３からのＳＲＳに基づき、ＵＥ３との間の上り無線回線品質を測定し、測定結果をＣＵ２２に通知する。ＣＵ２２は、第１のＤＵ２１Ａ及び第２のＤＵ２１Ｂの測定結果に基づき、ＤＵ間切替処理を実行する。その結果、ＣＵ２２が複数のＤＵ２１に同一のユーザデータを伝送し、複数のＤＵ２１の内、１つのＤＵ２１がＵＥ３にユーザデータを伝送する場合でも、ＵＥ３に対して上り無線回線品質がよいＤＵ２１に接続できる。しかも、ユーザデータの伝送速度やスループット及び伝送遅延を改善できる。【００５２】
実施例１のＤＵ２１は、ＣＵ２２から測定の要求を受信し、ＣＵ２２からの測定の要求に応じて、上り無線回線品質を測定し、その測定結果をＣＵ２２に送信する。更に、ＤＵ２１は、ＣＵ２２を介して上り無線回線品質を測定する際の測定制御情報を介して他のＤＵ２１から受信する。ＵＥ３は、測定制御情報に基づき、ＳＲＳをＤＵ２１に送信する。その結果、ＤＵ２１は、測定制御情報に基づき、同一ＣＵ２２配下のＤＵ２１毎の上り無線回線品質を測定できる。例えば、ＳＲＳの送信要求を実施する第１のＤＵ２１ＡがＵＥ３との上り無線回線品質の測定が実行できることは勿論のこと、第２のＤＵ２１ＢもＵＥ３との上り無線回線品質の測定が実行できる。【００５３】
ＳＲＳの送信要求を実施しないＤＵ２１は、ＣＵ２２と接続するＦ１回線６と接続し、Ｆ１回線６を用いて、ＣＵ２２から測定制御情報を受信する。その結果、ＳＲＳの送信要求を実施しないＤＵ２１でも、ＵＥ３に対する上り無線回線品質を測定できる。【００５４】
ＤＵ２１は、ＣＵ２２からの測定の要求に応じて、当該ＤＵ２１がＵＥ３と無線通信中の場合、ＵＥ３の上り無線回線品質を測定する測定制御情報を生成する。その結果、ＤＵ２１は、無線通信中のＵＥ３に対する測定制御情報を生成できる。【００５５】
ＤＵ２１は、ＤＵ２１が上り無線回線品質を測定する際に使用するＳＲＳの無線リソースを含む測定制御情報を生成する。その結果、ＤＵ２１は、ＵＥ３からのＳＲＳを取得できる。【００５６】
ＤＵ２１は、ＤＵ２１が上り無線回線品質を測定するＳＲＳの送信タイミングを含む測定制御情報を生成する。その結果、ＤＵ２１は、ＵＥ３からのＳＲＳを受信できる。【００５７】
実施例１では、ＣＵ２２が複数のＤＵ２１に同一のユーザデータを伝送し、１つのＤＵ２１がＵＥ３にユーザデータを伝送する無線通信システム１を例示した。しかしながら、例えば、ＣＵ２２が１つのＤＵ２１にのみユーザデータを伝送し、当該ＤＵ２１がＵＥ３にユーザデータを伝送するシステムでも良く、その実施の形態につき、実施例２として以下に説明する。尚、実施例１と同一の構成には同一符号を付すことで、その重複する構成及び動作の説明については省略する。
【実施例２】
【００５８】
実施例２の無線通信システム１では、ＣＵ２２が１つのＤＵ２１にのみユーザデータを伝送し、当該ＤＵ２１がＵＥ３にユーザデータを伝送するシステムである。図６は、実施例２の無線通信システム１のＤＵ間切替処理に関わる処理動作の一例を示すシーケンス図である。【００５９】
ＣＵ２２は、Ｆ１回線６を用いて、ＵＥ３と無線接続中の第１のＤＵ２１Ａにユーザデータを送信する（ステップＳ１１Ａ）。第１のＤＵ２１Ａは、ＣＵ２２からユーザデータを受信した場合、スケジューリング処理を実行すべく、ステップＳ１２に移行する。【００６０】
第１のＤＵ２１Ａは、ステップＳ２６にてＤＵ間切替処理を実行した後、パス切替前まで保持したユーザデータ（ＭＡＣ  ＳＤＵ，ＲＬＣ  ＳＤＵ，ＰＤＣＰ  ＳＤＵ）をＣＵ２２に転送する（ステップＳ４１）。尚、説明の便宜上、ＤＵ間切替処理は、ＵＥ３に無線接続する第１のＤＵ２１Ａから第２のＤＵ２１Ｂに切替接続する処理を実行するものとする。ＣＵ２２は、第１のＤＵ２１Ａからユーザデータ（ＭＡＣ  ＳＤＵ，ＲＬＣ  ＳＤＵ，ＰＤＣＰ  ＳＤＵ）を受信した場合、ユーザデータを第２のＤＵ２１Ｂに転送する（ステップＳ４２）。そして、ＣＵ２２は、ユーザデータを第２のＤＵ２１Ｂに送信すべく、ステップＳ２７に移行する。【００６１】
実施例２では、ＣＵ２２が１つのＤＵ２１にユーザデータを伝送し、当該ＤＵ２１がＵＥ３にユーザデータを伝送する場合でも、ＵＥ３が無線通信する第１のＤＵ２１Ａが測定制御情報を第２のＤＵ２１Ｂ及びＵＥ３に通知する。第１のＤＵ２１Ａ及び第２のＤＵ２１Ｂは、測定制御情報に基づき、ＵＥ３からのＳＲＳに基づき、ＵＥ３との間の上り回線品質を測定し、測定結果をＣＵ２２に通知する。ＣＵ２２は、第１のＤＵ２１Ａ及び第２のＤＵ２１Ｂの測定結果に基づき、ＤＵ間切替処理を実行する。その結果、ＣＵ２２が１つのＤＵ２１にユーザデータを伝送し、当該ＤＵ２１がＵＥ３にユーザデータを伝送する場合でも、同一ＣＵ２２配下のＤＵ２１単位の上り無線回線品質を取得できる。更に、ＣＵ２２は、同一ＣＵ２２配下のＤＵ２１毎の上り無線回線品質に基づき、ＵＥ３に対して最適なＤＵ２１に切替接続することで、回線品質を改善できる。【００６２】
第１のＤＵ２１Ａは、第２のＤＵ２１Ｂに未送信及び/又は未達のユーザデータ及びユーザデータに関する制御情報をＣＵ２２経由で転送する。その結果、パス切替要求に応じた切替先となる第２のＤＵ２１Ｂは、ＵＥ３との未送信及び/又は未達のユーザデータ及びユーザデータに関する制御情報を引き継ぐことで円滑なパス切替を実現できる。【００６３】
実施例２のＤＵ２１は、ＣＵ２２から測定の要求を受信し、ＣＵ２２からの測定の要求に応じて、上り無線回線品質を測定し、その測定結果をＣＵ２２に送信する。更に、ＤＵ２１は、上り無線回線品質を測定する際に使用する測定制御情報をＣＵ２２から受信する。その結果、ＵＥ３は、測定制御情報に基づき、ＳＲＳをＤＵ２１に送信する。そして、ＤＵ２１は、測定制御情報に基づき、同一ＣＵ２２配下のＤＵ２１毎の上り無線回線品質を測定できる。例えば、ＳＲＳの送信要求を実施する第１のＤＵ２１ＡがＵＥ３との上り無線回線品質の測定が実行できることは勿論のこと、第２のＤＵ２１ＢもＵＥ３との上り無線回線品質の測定が実行できる。
【実施例３】
【００６４】
実施例１及び２の無線通信システム１では、ＤＵ２１がＣＵ２２経由で他のＤＵ２１に測定制御情報を通知する。しかしながら、ＣＵ２２経由の測定制御情報の通知により伝送遅延が生じる。測定制御情報の伝送遅延により、ユーザデータの伝送遅延が発生し、例えば、ＵＲＬＬＣやｅＭＢＢにおける最大許容再送遅延や所要伝送速度の要件を満たすのが困難となる場合も想定される。【００６５】
そこで、このような事態に対処できる無線通信システム１の実施の形態につき、実施例３として以下に説明する。尚、実施例１の無線通信システム１と同一の構成には同一符号を付すことで、その重複する構成及び動作の説明については省略する。図７は、実施例３の無線通信システム１Ａの一例を示す説明図である。図７に示す無線通信システム１Ａと図１に示す無線通信システム１とが異なるところは、同一ｇＮＢ４内の第１のＤＵ２１Ａと第２のＤＵ２１Ｂとの間をＸｄ回線８（ＤＵ間回線又は無線装置間回線、ここではＸｄ回線と仮称する）で接続した点にある。なお、第１のＤＵ２１Ａと第２のＤＵ２１Ｂとを物理的に又は直接的に接続してもよいし、論理的に又は間接的に(他の装置を介して)接続してもよい。【００６６】
図８は、実施例３のＤＵ２１の構成の一例を示すブロック図である。図８に示すＤＵ２１は、アンテナ４１、Ｆ１通信部４２、ＩＦ制御部４３、ＲＬＣ４４、ＭＡＣ４５、ベースバンド処理部４６及び物理層４７の他に、Ｘｄ回線８と接続するＸｄ通信部４８を有する。ＩＦ制御部４３は、Ｘｄ回線８を用いた他のＤＵ２１との間の回線を設定及び変更等を制御する。ＩＦ制御部４３は、例えば、ＣＵ２２とのＦ１回線６の設定(setup)、追加(addition)、変更(modification)及び削除(解放(release))などの制御、他のＤＵ２１とのＸｄ回線８の設定、追加、変更及び削除などの制御を実施する。なお、Ｆ１及びＸｄの制御を別々のＩＦ制御部が実施してもよい。Ｘｄ通信部（又はＸｄインタフェース）４８は、Ｘｄ回線８を用いて他のＤＵ２１との間で制御情報及びユーザデータを通信（送受信、又は交換）する。Ｘｄ回線８で伝送するユーザデータは、例えば、ＰＤＣＰ  ＰＤＵ、ＰＤＣＰ  ＳＤＵ、ＭＡＣ  ＰＤＵ等である。Ｘｄ回線８で伝送する制御情報は、回線制御要求と、伝送要求とを有する。回線制御要求は、例えば、ＣＵ２２がＸｄ回線８の回線設定を要求する回線設定要求、ＣＵ２２がＸｄ回線８の設定変更を要求する回線変更要求と、ＣＵ２２がＸｄ回線８の解放を要求する回線解放要求とを含むコマンドである。伝送要求は、ＤＵ２１間の制御情報又はユーザデータの伝送を要求するコマンドである。Ｆ１通信部４２は、Ｆ１回線６を用いて、ＤＵ２１からの設定完了通知や解放完了通知等の制御情報を受信する。尚、設定完了通知は、例えば、ＤＵ２１が回線設定要求に応じて他のＤＵ２１との間のＸｄ回線８を設定した場合に設定完了を示す通知である。解放完了通知は、ＤＵ２１が回線解放要求に応じて他のＤＵ２１との間のＸｄ回線８を解放した場合に解放完了を示す通知である。【００６７】
Ｆ１通信部４２は、Ｆ１回線６を用いてＣＵ２２からの回線制御要求に関わる制御情報を受信する。ＩＦ制御部４３は、回線制御要求に基づき、Ｘｄ回線８を制御する。Ｆ１通信部４２は、ＩＦ制御部４３にてＸｄ回線８の回線制御が完了した場合、Ｆ１回線６を用いて、回線制御完了をＣＵ２２に通知する。送信部５２は、ユーザデータ及びユーザデータの伝送に関する制御情報をＵＥ３に無線送信する。Ｘｄ通信部４８は、Ｘｄ回線８を用いて、ユーザデータ及び制御情報を他の第２のＤＵ２１Ｂに通知する。【００６８】
ＤＵ２１内のＸｄ通信部４８は、Ｘｄ回線８を用いて、他のＤＵ２１から制御情報を受信する。ＤＵ２１内の送信部５２は、無線回線を用いて、ユーザデータ又はユーザデータと異なるユーザデータをＵＥ３に無線送信する。ＵＥ３は、第１のＤＵ２１Ａ又は第２のＤＵ２１Ｂとの間の無線通信において、ユーザデータ及びユーザデータの伝送に関する制御情報を無線送信する。【００６９】
ＣＵ２２内のＦ１通信部３２は、同一ＣＵ２２配下のＤＵ２１、例えば、同一ＣＵ２２配下の第２のＤＵ２１Ｂに対して、Ｘｄ回線８の設定を要求する。ＤＵ２１内のＸｄ通信部４８は、Ｆ１回線６からＸｄ回線８の設定要求を検出した場合、Ｘｄ回線８のアプリケーションプロトコルのメッセージを用いてＸｄ回線８をセットアップする。尚、Ｘｄ回線８のセットアップは、例えば、Ｆ１回線６及びＥ１回線のセットアップ処理と同じとすることができる（ＴＳ３８．４７３（Ｆ1ＡＰ）及びＴＳ３８．４６３（Ｅ1ＡＰ）参照）。尚、Ｅ１回線は、ＣＵ２２がユーザプレートとコントロールプレーンとで分離し、後述するＣＵ−ＵＰとＣＵ−ＣＰとの間を接続するＥ１インタフェースの回線である。【００７０】
ＤＵ２１内のＦ１通信部４２は、Ｘｄ回線８を設定した場合、Ｆ１回線６を用いて回線設定完了をＣＵ２２に通知する。ＤＵ２１内のＸｄ通信部４８は、Ｘｄ回線８を用いてユーザデータ及び、測定制御情報等を含む制御情報を他のＤＵ２１に通知する。尚、測定制御情報は、例えば、ＳＲＳの無線リソース情報及びＳＲＳ生成のための制御情報等である。ＣＵ２２内のＦ１通信部４２は、ＤＵ２１のユーザデータ及び測定制御情報等を含む制御情報を他のＤＵ２１に通知した後、Ｆ１回線６を通じて、Ｘｄ回線８の解放を各ＤＵ２１に要求する。各ＤＵ２１内のＸｄ通信部４８は、Ｘｄ回線８の解放要求を検出した場合、Ｘｄ回線８を解放する。各ＤＵ２１のＦ１通信部４２は、Ｆ１回線６を用いてＸｄ回線８の解放完了を示す解放完了通知をＣＵ２２に通知する。【００７１】
次に実施例３の無線通信システム１Ａの動作について説明する。図９は、実施例３の無線通信システム１Ａに関わるＤＵ間切替処理に関わる処理動作の一例を示すシーケンス図である。ＣＵ２２は、Ｆ１回線６を用いて、第１のＤＵ２１Ａと第２のＤＵ２１Ｂとの間のＸｄ回線８を設定する回線設定を第１のＤＵ２１Ａ及び第２のＤＵ２１Ｂに通知する（ステップＳ１０１）。第１のＤＵ２１Ａ及び第２のＤＵ２１Ｂは、ＣＵ２２からの回線設定に応じてＸｄ回線８を設定する（ステップＳ１０２）。第１のＤＵ２１Ａ及び第２のＤＵ２１Ｂは、Ｆ１回線６を用いてＸｄ回線８の回線設定完了をＣＵ２２に通知する（ステップＳ１０３）。【００７２】
ＣＵ２２は、回線設定完了を検出した場合、Ｆ１回線６を用いてユーザデータを第１のＤＵ２１Ａに送信する（ステップＳ１０４）。第１のＤＵ２１Ａは、ユーザデータを受信した場合、ユーザデータに対応するスケジューリング処理を実行すべく、ステップＳ１２に移行する。更に、第１のＤＵ２１Ａは、ステップＳ１７のスケジューリング処理で測定制御情報を生成し、Ｘｄ回線８を用いて、ＣＵ２２を経由することなく、測定制御情報を第２のＤＵ２１Ｂに通知する（ステップＳ１８Ａ）。その結果、第２のＤＵ２１Ｂは、Ｘｄ回線８を用いて第１のＤＵ２１Ａから測定制御情報を直接受信できるため、測定制御情報の伝送遅延を抑制できる。【００７３】
第１のＤＵ２１Ａ及び第２のＤＵ２１Ｂは、ステップＳ２６にてパス切替要求に応じてＤＵ２１間のパス切替処理を実行する。つまり、ＵＥ３は、第１のＤＵ２１Ａから第２のＤＵ２１Ｂに接続先を切替えたことになる。尚、第１のＤＵ２１Ａから第２のＤＵ２１Ｂに切替えるＤＵ２１間のパス切替は、セルを切替えるＨＯと異なる。第１のＤＵ２１Ａは、ステップＳ２６にてパス切替処理を実行した後、パス切替前まで保持したユーザデータ（ＭＡＣ  ＳＤＵ，ＲＬＣ  ＳＤＵ，ＰＤＣＰ  ＳＤＵ）を第２のＤＵ２１Ｂに転送する（ステップＳ４１Ａ）。【００７４】
第１のＤＵ２１Ａは、ＣＵ２２又は端末ＵＥ３から受信し第１のＤＵ２１Ａに滞留しているユーザデータを第２のＤＵ２１Ｂに転送した後、Ｆ１回線６を用いてパス切替処理が完了したことを示す切替完了通知をＣＵ２２に通知する（ステップＳ１０５）。ＣＵ２２は、切替完了通知を受信した場合、Ｆ１回線６を用いてＸｄ回線解放要求を第１のＤＵ２１Ａ及び第２のＤＵ２１Ｂに通知する（ステップＳ１０６）。第１のＤＵ２１Ａ及び第２のＤＵ２１Ｂは、Ｘｄ回線解放要求を受信した場合、第１のＤＵ２１Ａと第２のＤＵ２１Ｂとの間のＸｄ回線８を解放する（ステップＳ１０７）。第２のＤＵ２１Ｂは、Ｘｄ回線８を解放した場合、Ｆ１回線６を用いて回線解放完了通知をＣＵ２２に通知する（ステップＳ１０８）。そして、ＣＵ２２は、回線解放完了通知を受信した場合、ユーザデータを第２のＤＵ２１Ｂに送信すべく、ステップＳ２７に移行する。【００７５】
実施例３のＤＵ２１は、ＣＵ２２から測定の要求を受信し、ＣＵ２２からの測定の要求に応じて、上り無線回線品質を測定し、その測定結果をＣＵ２２に送信する。更に、ＤＵ２１は、上り無線回線品質を測定する際に使用する測定制御情報を他のＤＵ２１からＸｄ回線８経由で受信する。その結果、ＵＥ３は、ＣＵ２２を経由することなく、他のＤＵ２１から測定制御情報等を直接取得できるため、測定制御情報の伝送速度や伝送遅延を改善できる。しかも、ＤＵ２１は、測定制御情報に基づき、同一ＣＵ２２配下のＤＵ２１毎の上り無線回線品質を測定できる。【００７６】
実施例３の無線通信システム１Ａでは、ＣＵ２２主導によるＤＵ２１間のＸｄ回線８の設定を可能にしたので、ＣＵ２２を経由することなく、Ｘｄ回線８を用いてＤＵ２１間のシグナリング及びデータ転送時間を短縮化できる。その結果、ユーザデータや制御情報の伝送速度及び伝送遅延を改善できる。【００７７】
ＤＵ２１は、他のＤＵ２１と接続するＸｄ回線８と接続し、Ｘｄ回線８を用いて、他のＤＵ２１から測定制御情報を受信する。その結果、ＤＵ２１は、ＣＵ２２を経由することなく、他のＤＵ２１から測定制御情報等を直接取得できるため、データの伝送速度や伝送遅延を改善できる。【００７８】
尚、実施例３の無線通信システム１Ａでは、ＤＵ間２１にＸｄ回線８を設定し、ＤＵ２１間で測定制御情報等の制御情報を伝送する場合を例示した。しかしながら、制御情報として測定制御情報に限定されるものではなく、例えば、複数ＤＵ２１とＵＥ３間のデータ伝送(例えば、ＣｏＭＰＪＴ、サイトダイバーシチ及びＳＨＯ等)を伝送しても良く、適宜変更可能である。【００７９】
また、実施例３の無線通信システム１では、ＣＵ２２が第１のＤＵ２１Ａ及び第２のＤＵ２１ＢにＸｄ回線８の設定を要求する場合を例示したが、例えば、第１のＤＵ２１Ａが第２のＤＵ２１Ｂに対してＸｄ回線８の設定を要求しても良く、適宜変更可能である。また、ＤＵ２１の設置時に、ＤＵ２１が隣接ＤＵ２１に対してＸｄ回線８の設定を要求する。ＣＵ２２がセルＩＤを設定した場合に、第１のＤＵ２１Ａが第２のＤＵ２１Ｂに対してＸｄ回線８の設定を要求しても良く、適宜変更可能である。【００８０】
Ｘｄ回線８は、後述するＣＵ−ＵＰとＣＵ−ＣＰとの間を接続するＥ１回線と同様に、コントロールプレーンで制御信号を、ユーザプレーンでユーザデータを伝送する。尚、転送するユーザデータはＲＬＣ  ＳＤＵ、ＲＬＣ  ＰＤＵ、ＭＡＣ  ＳＤＵ又はＭＡＣ  ＰＤＵを単位とする。また、スケジューリング情報、ＳＲＳ関連情報(ＳＲＳ（ＳＲＳ列）そのものも含む)等の制御情報を転送してもよい。【００８１】
Ｘｄ通信部４８は、Ｘｄ回線８を用いてユーザデータをＧＴＰ−Ｕ等のプロトコルに変換可能にすると共に、Ｘｄ回線８を用いて制御情報をＳＣＴＰ等のプロトコルに変換可能にする。【００８２】
尚、上記実施例１及び２の無線通信システム１では、ＡＭＦ１２及びＵＰＦ１１を接続する単一のＣＵ２２を例示したが、ＣＵ２２をコントロールプレーン用のＣＵ−ＣＰとユーザプレーン用のＣＵ−ＵＰとに分離しても良い。そこで、その実施の形態につき、実施例４として以下に説明する。
【実施例４】
【００８３】
図１０は、実施例４の無線通信システム１Ｂの構成の一例を示す説明図である。尚、実施例１の無線通信システム１と同一の構成には同一符号を付すことで、その重複する構成及び動作の説明については省略する。図１０に示すｇＮＢ４のＣＵ２２は、ユーザプレーン用のＣＵであるＣＵ−ＵＰ２２Ａと、コントロールプレーン用のＣＵであるＣＵ−ＣＰ２２Ｂとを有する。ＣＵ−ＵＰ２２Ａは、ユーザプレーン用のＮＧ回線(ＮＧ―Ｕ：U-plane  NG回線)５ＡでＵＰＦ１１と接続すると共に、ユーザプレーン用のＦ１回線(Ｆ１―Ｕ：U-plane  F１回線)６Ａで第１のＤＵ２１Ａ及び第２のＤＵ２１Ｂと接続する。ＣＵ−ＣＰ２２Ｂは、コントロールプレーン用のＮＧ回線(ＮＧ―Ｃ：C-plane  NG回線)５ＢでＡＭＦ１２と接続すると共に、コントロールプレーン用のＦ１回線(Ｆ１―Ｃ：C-plane  F１回線)６Ｂで第１のＤＵ２１Ａ及び第２のＤＵ２１Ｂと接続する。ＣＵ−ＣＰ２２ＢとＣＵ−ＵＰ２２Ａとの間をＥ１回線で接続する。【００８４】
ＣＵ２２が、ＣＵ−ＵＰ２２Ａと、ＣＵ−ＣＰ２２Ｂとに分離した場合でも、実施例１のＤＵ間切替処理を実行することができる。ＣＵ−ＣＰ２２Ｂは、Ｆ１回線６Ｂを用いて測定要求を第１のＤＵ２１Ａ及び第２のＤＵ２１Ｂに送信する。第１のＤＵ２１Ａは、測定要求に応じて無線通信中のＵＥ３に対してスケジューリング処理を実行する。第１のＤＵ２１Ａは、無線回線を用いて測定制御情報をＵＥ３に送信すると共に、Ｆ１回線６Ｂを用いて測定制御情報をＣＵ−ＣＰ２２Ｂに通知する。そして、ＣＵ−ＣＰ２２Ｂは、Ｆ１回線６Ｂを用いて測定制御情報を第２のＤＵ２１Ｂに通知する。その結果、ＵＥ３は、測定制御情報に基づき、ＳＲＳを第１のＤＵ２１Ａ及び第２のＤＵ２１Ｂに送信する。そして、第１のＤＵ２１Ａ及び第２のＤＵ２１Ｂは、ＵＥ３からのＳＲＳに基づき、ＵＥ３との上り無線回線品質を測定できる。尚、第１のＤＵ２１Ａは、ＵＥ３からのＳＲＳに基づき、上り無線回線品質を測定すると共に、第２のＤＵ２１Ｂは、ＵＥ３から第１のＤＵ２１ＡへのＳＲＳに基づき、上り無線回線品質を測定する。【００８５】
更に、第１のＤＵ２１Ａは、Ｆ１回線６Ｂを用いてＵＥ３からのＳＲＳに基づき測定した上り無線回線品質の測定結果をＣＵ−ＣＰ２２Ｂに通知する。更に、第２のＤＵ２１Ｂは、Ｆ１回線６Ｂを用いて、ＵＥ３からのＳＲＳに基づき測定した上り無線回線品質の測定結果をＣＵ−ＣＰ２２Ｂに通知する。尚、第１のＤＵ２１Ａ及び第２のＤＵ２１Ｂが受信するＳＲＳは、ＵＥ３があるタイミングで発信した同じＳＲＳである。ＣＵ−ＣＰ２２Ｂは、第１のＤＵ２１Ａ及び第２のＤＵ２１Ｂの測定結果に基づき、ＵＥ３に対して同一ＣＵ２２配下のＤＵ間切替処理を実行する。その結果、ＣＵ−ＣＰ２２Ｂは、同一ＣＵ２２配下の複数のＤＵ２１の内、ＤＵ２１単位の上り無線回線品質を測定できる。ＵＥ３は、同一ＣＵ２２配下の他のＤＵ２１との間で切替処理を実行する。【００８６】
実施例４では、ＣＵ−ＵＰ２２Ａが複数のＤＵ２１に同一のユーザデータを伝送し、複数のＤＵ２１の内、１つのＤＵ２１がＵＥ３にユーザデータを伝送するシステムにおいて、第１のＤＵ２１Ａが測定制御情報を第２のＤＵ２１Ｂ及びＵＥ３に送信する。第１のＤＵ２１Ａ及び第２のＤＵ２１Ｂは、測定制御情報に基づき、ＵＥ３からのＳＲＳに基づき、ＵＥ３との間の上り無線回線品質を測定し、測定結果をＣＵ−ＣＰ２２Ｂに通知する。ＣＵ−ＣＰ２２Ｂは、第１のＤＵ２１Ａ及び第２のＤＵ２１Ｂの測定結果に基づき、ＤＵ間切替処理を実行する。その結果、ＣＵ−ＣＰ２２Ｂが複数のＤＵ２１に同一のユーザデータを伝送し、１つのＤＵ２１がＵＥ３にユーザデータを伝送する場合でも、ＵＥ３に対して最適なＤＵ２１を切替接続することで、無線回線品質を改善できる。【００８７】
ＤＵ２１は、ＣＵ−ＣＰ２２Ｂから測定の要求を受信し、ＣＵ−ＣＰ２２Ｂからの測定の要求に応じて、上り無線回線品質を測定し、その測定結果をＣＵ−ＣＰ２２Ｂに送信する。更に、ＤＵ２１は、上り無線回線品質を測定する際に使用する測定制御情報の一部をＣＵ−ＣＰ２２Ｂから受信する。その結果、ＵＥ３は、測定制御情報に基づき、ＳＲＳをＤＵ２１に送信する。そして、ＤＵ２１は、測定制御情報に基づき、同一ＣＵ２２配下のＤＵ２１毎の上り無線回線品質を測定できる。【００８８】
尚、上記実施例３の無線通信システム１Ａでは、ＡＭＦ１２及びＵＰＦ１１を接続する単一のＣＵ２２を例示したが、ＣＵ２２をコントロールプレーンとユーザプレーンとに分離したＣＵを使用しても良く、その実施の形態につき、実施例５として以下に説明する。図１１は、実施例５の無線通信システム１Ｃの構成の一例を示す説明図である。尚、実施例３の無線通信システム１Ａと同一の構成には同一符号を付すことで、その重複する構成及び動作の説明については省略する。
【実施例５】
【００８９】
図１１に示すｇＮＢ４のＣＵ２２は、ユーザプレーン用のＣＵであるＣＵ−ＵＰ２２Ａと、コントロールプレーン用のＣＵであるＣＵ−ＣＰ２２Ｂとを有する。ＣＵ−ＵＰ２２Ａは、ユーザプレーン用のＮＧ回線５ＡでＵＰＦ１１と接続すると共に、ユーザプレーン用のＦ１回線６Ａで第１のＤＵ２１Ａ及び第２のＤＵ２１Ｂと接続する。ＣＵ−ＣＰ２２Ｂは、コントロールプレーン用のＮＧ回線５ＢでＡＭＦ１２と接続すると共に、コントロールプレーン用のＦ１回線６Ｂで第１のＤＵ２１Ａ及び第２のＤＵ２１Ｂと接続する。【００９０】
第１のＤＵ２１Ａと第２のＤＵ２１Ｂとの間には、例えば、制御情報やユーザデータ等を伝送するＸｄ回線８を接続する。第１のＤＵ２１Ａ内のＸｄ通信部４８は、Ｘｄ回線８と接続する。第２のＤＵ２１Ｂ内のＸｄ通信部４８は、Ｘｄ回線８と接続する。【００９１】
ＣＵ２２が、ＣＵ−ＵＰ２２０Ａと、ＣＵ−ＣＰ２２０Ｂとに分離した場合でも、実施例３のＤＵ間切替処理を実行することができる。ＤＵ２１は、Ｆ１回線６Ｂを用いてＣＵ−ＣＰ２２Ｂから測定の要求を受信する。ＤＵ２１は、ＣＵ−ＣＰ２２Ｂからの測定の要求に応じて、上り無線回線品質を測定し、その測定結果をＣＵ−ＣＰ２２Ｂに送信する。更に、ＤＵ２１は、上り無線回線品質を測定する際に使用する測定制御情報を他のＤＵ２１からＸｄ回線８経由で受信する。その結果、ＵＥ３は、ＣＵ−ＣＰ２２Ｂを経由することなく、他のＤＵ２１から測定制御情報等を直接取得できるため、測定制御情報の伝送速度や伝送遅延を改善できる。しかも、ＤＵ２１は、測定制御情報に基づき、同一ＣＵ２２配下のＤＵ２１毎の上り無線回線品質を測定できる。【００９２】
実施例５の無線通信システム１Ｃでは、ＣＵ−ＣＰ２２Ｂ主導によるＤＵ２１間のＸｄ回線８の設定を可能にしたので、ＣＵ−ＣＰ２２Ｂを経由することなく、Ｘｄ回線８を用いてＤＵ２１間のシグナリング及びデータ転送時間を短縮化できる。その結果、ＣＵ２２がユーザプレーン及びコントロールプレーンに分離した場合でも、ユーザデータの伝送速度及び伝送遅延が改善できる。
【符号の説明】
【００９３】
１  無線通信システム
３  ＵＥ
４  ｇＮＢ
６  Ｆ１回線
８  Ｘｄ回線
２１  ＤＵ
２１Ａ  第１のＤＵ
２１Ｂ  第２のＤＵ
２２  ＣＵ
４２  Ｆ１通信部
４８  Ｘｄ通信部
５３  生成部
【図１Ａ】
2020115885.tif 000003
【図１Ｂ】
2020115885.tif 000004
【図２】
2020115885.tif 000005
【図３】
2020115885.tif 000006
【図４】
2020115885.tif 000007
【図５】
2020115885.tif 000008
【図６】
2020115885.tif 000009
【図７】
2020115885.tif 000010
【図８】
2020115885.tif 000011
【図９】
2020115885.tif 000012
【図１０】
2020115885.tif 000013
【図１１】
2020115885.tif 000014
【国際調査報告】
2020115885.tif 000015
2020115885.tif 000016
2020115885.tif 000017
2020115885.tif 000018